(57)【要約】      （修正有）【課題】工程が複雑で、占有する空間が大きく、及び運動ステージの運動精度に影響するという課題を解決する。【解決手段】ワークステージ５及びフォトマスクステージ２の片側に反力外部導出機構９を設けることにより、該二つの運動ステージの運動方向の反力を定盤６に導出し、定盤６の振動を運動ステージに伝えず、反力による装置の振動を減少させる。装置フレーム及び運動ステージシステムの設計製造の難易度を大幅に低減し、運動ステージの制御精度を高め、緩衝装置の必要性を効果的に抑え、緩衝装置の開発難易度、及び開発コストを低減する。【選択図】図１
2019011860.tif 000002
【特許請求の範囲】
【請求項１】
反力外部導出機構であって、
順次接続された反力外部導出支持ラック、反力減衰手段、及び震動源中継手段を有し、
前記震動源中継手段は、震動源に接続され、
前記反力外部導出支持ラックは、定盤に接続され、
前記反力外部導出機構は、前記震動源の震動力を削減し、かつ定盤からの振動を隔絶するためのものである、ことを特徴とする反力外部導出機構。
【請求項２】
前記反力外部導出機構は、支持ラック中継手段、及び非干渉手段をさらに有し、
前記支持ラック中継手段は、前記反力外部導出支持ラックに接続され、
前記非干渉手段は、前記支持ラック中継手段と前記反力減衰手段との間に位置し、
前記非干渉手段は、定盤からの振動を隔絶するためのものである、ことを特徴とする請求項１に記載の反力外部導出機構。
【請求項３】
前記反力減衰手段は、接続ブロック、反力外部導出ダンパ手段、反力外部導出バネ手段、及び中継アームを有し、
前記接続ブロックは、前記支持ラック中継手段に接続され、
前記反力外部導出ダンパ手段の両端は、前記接続ブロック及び前記震動源中継手段にそれぞれ接続され、
前記反力外部導出バネ手段の両端は、前記接続ブロック及び前記中継アームの一端にそれぞれ接続され、
前記中継アームの他端は、前記震動源中継手段に接続される、ことを特徴とする請求項２に記載反力外部導出機構。
【請求項４】
前記反力外部導出バネ手段は、バネガイド柱により前記接続ブロックに装着される、ことを特徴とする請求項３に記載の反力外部導出機構。
【請求項５】
前記反力外部導出バネ手段は、プリテンション装着フレームにより前記中継アームに装着される、ことを特徴とする請求項３に記載の反力外部導出機構。
【請求項６】
前記反力外部導出機構及び運動モジュールを有し、
前記反力外部導出機構は、前記運動モジュールに接続され、
前記反力外部導出機構は、定盤にさらに接続され、
前記反力外部導出機構は、前記運動モジュールの震動力を削減し、かつ定盤からの振動を隔絶するためのものである、ことを特徴とする請求項１から５のいずれか１項に記載の反力外部導出機構を装着したモータ装置。
【請求項７】
前記運動モジュールは、固定子及び可動子を有し、
前記反力外部導出機構は、前記固定子に接続される、ことを特徴とする請求項６に記載のモータ装置。
【請求項８】
照明手段、フォトマスクステージ、投影レンズ、主基板、ワークステージ、及びメイン吊り下げフレームを有するフォトリソグラフィ装置であって、
前記照明手段及び前記フォトマスクステージは、前記主基板に設けられ、
前記投影レンズは、前記フォトマスクステージと前記ワークステージとの間に設けられ、
前記メイン吊り下げフレームは、定盤上方に設けられ、
前記ワークステージ及び前記主基板は、前記メイン吊り下げフレームに設けられ、
前記メイン吊り下げフレームと前記定盤との間には緩衝装置が設けられ、
前記ワークステージの片側と前記定盤との間、及び／または前記フォトマスクステージの片側と前記定盤との間には反力外部導出機構が設けられ、
前記反力外部導出機構は、前記ワークステージ、及び／または前記フォトマスクステージの震動力を削減し、かつ定盤からの振動を隔絶するためのものである、ことを特徴とするフォトリソグラフィ装置。
【請求項９】
前記主基板には照明支持ラックが設けられ、
前記照明手段は、前記照明支持ラックに設けられる、ことを特徴とする請求項８に記載のフォトリソグラフィ装置。
【請求項１０】
前記照明支持ラックの側面には振動吸収装置が設けられる、ことを特徴とする請求項９に記載のフォトリソグラフィ装置。
【請求項１１】
前記振動吸収装置は、振動吸収装置支持板、振動吸収ブロック、及び振動吸収装置ダンパ手段を有し、
前記振動吸収装置支持板は、前記照明支持ラックの側面に水平に固定され、
前記振動吸収装置ダンパ手段は、前記照明支持ラックの側面に密接に貼り付き、
前記振動吸収ブロックの底部は、締め付けネジにより前記振動吸収装置支持板に支持され、
前記振動吸収ブロックの側面は、振動装置プリテンションスクリュ、振動吸収装置バネ手段、及び前記振動吸収装置ダンパ手段により前記照明支持ラックの側面に固定される、ことを特徴とする請求項１０に記載のフォトリソグラフィ装置。
【請求項１２】
前記主基板にはフォトマスクステージ支持ラックが設けられ、
前記フォトマスクステージは、前記フォトマスクステージ支持ラックに設けられる、ことを特徴とする請求項８に記載のフォトリソグラフィ装置。
【請求項１３】
前記フォトマスクステージ支持ラックには、フォトマスクステージ測定システムがさらに設けられる、ことを特徴とする請求項１２に記載フォトリソグラフィ装置。
【請求項１４】
前記反力外部導出機構は、反力外部導出支持ラックを有し、
前記反力外部導出支持ラックは、前記定盤に接続される、ことを特徴とする請求項８に記載のフォトリソグラフィ装置。
【請求項１５】
前記ワークステージに接続されるワークステージ駆動モータ、及び前記フォトマスクステージに接続されるフォトマスクステージ駆動モータをさらに有し、
前記反力外部導出機構の一端は、前記ワークステージ駆動モータまたは前記フォトマスクステージ駆動モータに接続され、
他端は、前記定盤に接続される、ことを特徴とする請求項１４に記載のフォトリソグラフィ装置。
【請求項１６】
前記反力外部導出機構は、順次接続された支持ラック中継手段、非干渉手段、反力減衰手段、及び震動源中継手段をさらに有し、
前記支持ラック中継手段は、前記反力外部導出支持ラックに接続され、
前記震動源中継手段は、前記ワークステージ駆動モータまたはフォトマスクステージ駆動モータにさらに接続され、
前記非干渉手段は、前記支持ラック中継手段と前記反力減衰手段との間に位置し、
前記非干渉手段は、定盤からの振動を隔絶するためのものである、ことを特徴とする請求項１５に記載のフォトリソグラフィ装置。
【請求項１７】
前記反力減衰手段は、接続ブロック、反力外部導出ダンパ手段、反力外部導出バネ手段、及び中継アームを有し、
前記接続ブロックは、前記支持ラック中継手段に接続され、
前記反力外部導出ダンパ手段の両端は、前記接続ブロック及び前記震動源中継手段にそれぞれ接続され、
前記反力外部導出バネ手段の両端は、前記接続ブロック及び前記中継アームの一端にそれぞれ接続され、
前記中継アームの他端は、前記震動源中継手段に接続される、ことを特徴とする請求項１６に記載のフォトリソグラフィ装置。
【請求項１８】
前記反力外部導出バネ手段は、バネガイド柱により前記接続ブロックに装着される、ことを特徴とする請求項１７に記載のフォトリソグラフィ装置。
【請求項１９】
前記反力外部導出バネ手段は、プリテンション装着フレームにより前記中継アームに接続される、ことを特徴とする請求項１７に記載のフォトリソグラフィ装置。
【請求項２０】
一つの前記反力外部導出機構は、前記フォトマスクステージに接続され、
前記フォトマスクステージに接続される前記反力外部導出機構は、前記フォトマスクステージの水平第１方向に沿った片側に位置される、ことを特徴とする請求項８に記載のフォトリソグラフィ装置。
【請求項２１】
二つの前記反力外部導出機構は、前記ワークステージに接続され、前記ワークステージに接続される二つの前記反力外部導出機構は、前記ワークステージの水平第２方向に沿った片側にそれぞれ設けられる、ことを特徴とする請求項８に記載フォトリソグラフィ装置。
【請求項２２】
前記主基板には前記ワークステージに対応するワークステージ測定システムがさらに設けられる、ことを特徴とする請求項８に記載のフォトリソグラフィ装置。
【発明の詳細な説明】
【技術分野】
【０００１】
本発明は、フォトリソグラフィ技術分野に関し、具体的には反力外部導出機構、モータ装置、及びフォトリソグラフィ装置に関する。
【背景技術】
【０００２】
フォトリソグラフィは、半導体製造過程において非常に重要な工程である。それは、フォトマスク上の一連のチップパターンを露光により順次、シリコンウエハの対応する層に移す工程過程であり、大規模集積回路製造におけるコアとなるステップと考えられている。半導体製造における複雑で時間を消費する一連のフォトリソグラフィ工程は主に、対応するフォトリソグラフィ装置により完成される。
【０００３】
フォトリソグラフィ装置におけるシリコンウエハステージの主な作用は、シリコンウエハを載置し、かつシリコンウエハを携帯して、投影レンズ下でフォトマスクステージにマッチングした露光運動を完成させることである。シリコンウエハステージ及びフォトマスクステージが装置内部フレーム内にあるとき、二つの運動の運動反力は内部フレームに直接作用し、これにより、内部フレーム全体の振動が激しくなる。その振動指数が装置の性能制約を超えると、正常な露光作業ができなくなってしまう。
【０００４】
上述の課題について、既存の技術においては、運動ステージのモータ固定子を外部フレームに置き、外部フレームとの接続により、露光時に生じる運動ステージの反作用力が直接、外部フレームに作用し、これにより内部フレームへの衝撃影響を減少させることとしている。しかしながら、当該技術的解決手段は、装置のフレーム及び運動ステージの構造設計に対していずれも高い要求を提示しており、運動ステージと装置との集積工程の複雑度を高めてしまうことになる。
【０００５】
既存の技術においては、フォトリソグラフィ装置の運動ステージの反力相殺装置、及びそれを応用したフォトリソグラフィ装置がさらに提供されている。当該技術的解決手段は、反力機構を内部フレームに直接接続しており、運動ステージと衝撃吸収装置との間に非干渉機構がない。このため、反力相殺の過程において、定盤の振動が持ち込まれやすく、運動ステージの運動精度に直接影響してしまい、さらに反力機構はワークステージの両側に装着されるため、占有する空間が大きく、その他のシステムの配置及びメンテンナスのいずれにも一定の影響を与えてしまう。
【発明の概要】
【０００６】
本発明は、反力外部導出機構、モータ装置、及びフォトリソグラフィ装置を提供することで、既存の技術において存在する工程が複雑で、占有する空間が大きく、及び運動ステージの運動精度に影響するという課題を解決する。
【０００７】
上述の技術的改題を解決するために、本発明の技術的解決手段は以下のとおりである。反力外部導出機構であって、順次接続された反力外部導出支持ラック、反力減衰手段、及び震動源中継手段を有し、前記震動源中継手段は、震動源に接続され、前記反力外部導出支持ラックは、定盤に接続され、前記反力外部導出機構は、前記震動源の震動力を削減し、かつ定盤からの振動を隔絶するためのものである。
【０００８】
さらに、前記反力外部導出機構は、支持ラック中継手段、及び非干渉手段をさらに有し、前記支持ラック中継手段は、前記反力外部導出支持ラックに接続され、前記非干渉手段は、前記支持ラック中継手段と前記反力減衰手段との間に位置し、前記非干渉手段は、定盤からの振動を隔絶するためのものである。
【０００９】
さらに、前記反力減衰手段は、接続ブロック、反力外部導出ダンパ手段、反力外部導出バネ手段、及び中継アームを有し、前記接続ブロックは、前記支持ラック中継手段に接続され、前記反力外部導出ダンパ手段の両端は、前記接続ブロック及び前記震動源中継手段にそれぞれ接続され、前記反力外部導出バネ手段の両端は、前記接続ブロック及び前記中継アームの一端にそれぞれ接続され、前記中継アームの他端は、前記震動源中継手段に接続される。
【００１０】
さらに、前記反力外部導出バネ手段は、バネガイド柱により前記接続ブロックに装着される。
【００１１】
さらに、前記バネ手段は、プリテンション装着フレームにより前記中継アームに装着される。
【００１２】
本発明は、上述のような反力外部導出機構を装着したモータ装置をさらに提供し、前記反力外部導出機構及び運動モジュールを有し、前記反力外部導出機構は、前記運動モジュールに接続され、前記反力外部導出機構は、定盤にさらに接続され、前記反力外部導出機構は、前記運動モジュールの震動力を削減し、かつ定盤からの振動を隔絶するためのものである。
【００１３】
さらに、前記運動モジュールは、固定子及び可動子を有し、前記反力外部導出機構は、前記固定子に接続される。
【００１４】
本発明は、フォトリソグラフィ装置をさらに提供し、照明手段、フォトマスクステージ、投影レンズ、主基板、ワークステージ、及びメイン吊り下げフレームを有し、前記照明手段及び前記フォトマスクステージは、前記主基板に設けられ、前記投影レンズは、前記フォトマスクステージと前記ワークステージとの間に設けられ、前記メイン吊り下げフレームは定盤上方に設けられ、前記ワークステージ及び前記主基板は、前記メイン吊り下げフレームに設けられ、前記メイン吊り下げフレームと前記定盤との間には緩衝装置が設けられ、前記ワークステージの片側と前記定盤との間、及び／または前記フォトマスクステージの片側と前記定盤との間には反力外部導出機構が設けられ、前記反力外部導出機構は、前記ワークステージ、及び／または前記フォトマスクステージの震動力を削減し、かつ定盤からの振動を隔絶するためのものである。
【００１５】
さらに、前記主基板には照明支持ラックが設けられ、前記照明手段は、前記照明支持ラックに設けられる。
【００１６】
さらに、前記照明支持ラックの側面には振動吸収装置が設けられる。
【００１７】
さらに、前記振動吸収装置は、振動吸収装置支持板、振動吸収ブロック、及び振動吸収装置ダンパ手段を有し、前記振動吸収装置支持板は、前記照明支持ラックの側面に水平に固定され、前記振動吸収装置ダンパ手段は、前記照明支持ラックの側面に密接に貼り付き、前記振動吸収ブロックの底部は、締め付けネジにより前記振動吸収装置支持板に支持され、前記振動吸収ブロックの側面は、振動吸収装置プリテンションスクリュ、振動吸収装置バネ手段、及び振動吸収装置ダンパ手段により前記照明支持ラックの側面に固定される。
【００１８】
さらに、前記主基板にはフォトマスクステージ支持ラックが設けられ、前記フォトマスクステージは、前記フォトマスクステージ支持ラックに設けられる。
【００１９】
さらに、前記フォトマスクステージ支持ラックにはフォトマスクステージ測定システムがさらに設けられる。
【００２０】
さらに、前記反力外部導出機構は、反力外部導出支持ラックを有し、前記反力外部導出支持ラックは、前記定盤に接続される。
【００２１】
さらに、前記フォトリソグラフィ装置は、前記ワークステージに接続されるワークステージ駆動モータ、及び前記フォトマスクステージに接続されるフォトマスクステージ駆動モータをさらに有し、前記反力外部導出機構の一端は、前記ワークステージ駆動モータ、または前記フォトマスクステージ駆動モータに接続され、他端は前記定盤に接続される。
【００２２】
さらに、前記反力外部導出機構は、順次接続された支持ラック中継手段、非干渉手段、反力減衰手段、及び震動源中継手段をさらに有し、前記支持ラック中継手段は、前記反力外部導出支持ラックに接続され、前記震動源中継手段は、前記ワークステージ駆動モータまたはフォトマスクステージ駆動モータにさらに接続され、前記非干渉手段は、前記支持ラック中継手段と前記反力減衰手段との間に位置し、前記非干渉手段は、定盤からの振動を隔絶するためのものである。
【００２３】
さらに、前記反力減衰手段は、接続ブロック、反力外部導出ダンパ手段、反力外部導出バネ手段、及び中継アームを有し、前記接続ブロックは、前記支持ラック中継手段に接続され、前記反力外部導出ダンパ手段の両端は、前記接続ブロック及び前記震動源中継手段にそれぞれ接続され、前記反力外部導出バネ手段の両端は、前記接続ブロック及び前記中継アームの一端にそれぞれ接続され、前記中継アームの他端は、前記震動源中継手段に接続される。
【００２４】
さらに、前記反力外部導出バネ手段は、バネガイド柱により前記接続ブロックに装着される。
【００２５】
さらに、前記バネ手段は、プリテンション装着フレームにより前記中継アームに接続される。
【００２６】
さらに、一つの前記反力外部導出機構は、前記フォトマスクステージに接続され、前記フォトマスクステージに接続される前記反力外部導出機構は、フォトマスクステージの水平第１方向に沿った片側に位置される。
【００２７】
さらに、二つの前記反力外部導出機構は、前記ワークステージに接続され、前記ワークステージに接続される二つの前記反力外部導出機構は、前記ワークステージの水平第２方向に沿った片側にそれぞれ設けられる。
【００２８】
さらに、前記主基板には、前記ワークステージに対応するワークステージ測定システムがさらに設けられる。
【００２９】
本発明により提供される反力外部導出機構、モータ装置、及びフォトリソグラフィ装置であって、該フォトリソグラフィ装置は、照明手段、フォトマスクステージ、投影レンズ、主基板、ワークステージ、及びメイン吊り下げフレームを有し、前記照明手段及びフォトマスクステージは、前記主基板に設けられ、前記投影レンズは、前記フォトマスクステージと前記ワークステージとの間に設けられ、前記メイン吊り下げフレームは定盤上方に設けられ、前記ワークステージ及び主基板は、前記吊り下げフレームに設けられ、前記メイン吊り下げフレームと定盤との間には緩衝装置が設けられ、前記ワークステージの片側と前記定盤との間、及び／または前記フォトマスクステージの片側と前記定盤との間には反力外部導出機構がそれぞれ設けられ、前記反力外部導出機構は、前記ワークステージ、及び／または前記フォトマスクステージの震動力を削減し、かつ定盤からの振動を隔絶するためのものである。ワークステージ及びフォトマスクステージの片側に反力外部導出機構を設けることにより、該二つの運動ステージの運動方向の反力を定盤に導出し、定盤の振動を運動ステージに伝えず、反力による装置の振動を減少させることができる。装置フレーム及び運動ステージシステムの設計製造の難易度を大幅に低減し、運動ステージの制御精度を高め、緩衝装置の必要性を効果的に抑え、緩衝装置の開発難易度、及び開発コストを低減することができる。振動吸収装置を採用して照明支持ラックの局部モードに対して制振がされ、効果が明らかであり、構造が簡単で、フレーム自体のモード剛性を増加させることと比較して、設計難易度及び加工製造コストを大幅に減らすことができる。本発明の反力外部導出機構の装着及びメンテナンス空間は小さく、構造がコンパクトで、簡単であり、脱着しやすい。
【図面の簡単な説明】
【００３０】
【図１】図１は、本発明の具体的な実施例におけるフォトリソグラフィ装置の構造概略図である。
【図２】図２は、本発明の具体的な実施例における振動吸収装置の構造概略図である。
【図３】図３は、本発明の具体的な実施例における反力外部導出機構の構造概略図である。
【図４】図４は、本発明の具体的な実施例における反力外部導出機構とワークステージの接続概略図である。
【発明を実施するための形態】
【００３１】
以下に図面を踏まえて本発明を詳細に説明する。
図１に示すように、本発明は、フォトリソグラフィ装置を提供するものであり、照明手段１、フォトマスクステージ２、投影レンズ３、主基板４、ワークステージ５、及びメイン吊り下げフレーム７を有し、前記照明手段１及びフォトマスクステージ２は、前記主基板４に設けられ、前記投影レンズ３は、前記フォトマスクステージ２と前記ワークステージ５との間に設けられ、前記メイン吊り下げフレーム７は定盤６上方に設けられ、前記ワークステージ５及び主基板４は、前記吊り下げフレーム７に設けられ、前記メイン吊り下げフレーム７と定盤６との間には緩衝装置８が設けられ、前記ワークステージ５の片側と前記定盤６との間、及び／または前記フォトマスクステージ２の片側と前記定盤６との間には反力外部導出機構９がそれぞれ設けられ、前記反力外部導出機構９は、前記ワークステージ５、及び／または前記フォトマスクステージ２の（から伝わった）震動力を削減し、かつ定盤６からの振動を隔絶するためのものである。
【００３２】
好ましくは、ワークステージ２に対応する反力外部導出機構９が一つ設けられ、例えば、Ｘ軸プラス方向である前記フォトマスクステージ２の水平第１方向に沿った片側に位置する。前記ワークステージ５に対応する反力外部導出機構９が二つ設けられ、それぞれ例えばＹ軸マイナス方向である前記ワークステージ５の水平第２方向に沿った片側に位置する。ワークステージ５及びフォトマスクステージ２の片側に反力外部導出機構９を設けることにより、該二つの運動ステージの運動方向の反力を定盤６に導出し、定盤６の振動を運動ステージに伝えず、反力による装置の振動を減少させることができる。装置フレーム及び運動ステージシステムの設計製造の難易度を大幅に低減させ、運動ステージの制御精度を高めることができる。
【００３３】
好ましくは、前記主基板４には照明支持ラック１０が設けられ、前記照明手段１は、前記照明支持ラック１０に設けられる。前記照明支持ラック１０の側面には振動吸収装置１１が設けられる。図２に示すように、前記振動吸収装置１１は、振動吸収装置支持板１１１、振動吸収ブロック１１２、及び振動吸収装置ダンパ手段１１３を有し、前記振動吸収装置支持板１１１は、前記照明支持ラック１０の側面に水平に固定され、前記振動吸収装置ダンパ手段１１３は、前記照明支持ラックの側面１０に密接に貼り付き、前記振動吸収ブロック１１２の底部は、締め付けネジ１１４により前記振動吸収装置支持板１１１に支持され、水平面内で運動可能であり、前記振動吸収ブロック１１２の側面は、振動吸収装置プリテンションスクリュ１１５、振動吸収装置バネ手段１１６、及び振動吸収装置ダンパ手段１１３により照明支持ラック１０の側面に固定される。具体的には、振動吸収装置１１は、振動の減衰が必要な照明支持ラック１０の一つ、または複数の側面に設けられ、照明手段１により生じる照明支持ラック１０の局部振動のフォトマスクステージ２への影響を減衰することに用いられる。シミュレーション実験により、振動吸収装置１１を追加後に、Ｘ方向に沿った４４Ｈｚ箇所（照明支持ラック１０の周波数は４４Ｈｚ）の照明支持ラック１０の加速度パワースペクトルは、約１５ｄｂ低下し、振動の減衰効果が顕著であることがわかった。
【００３４】
好ましくは、前記主基板４にはフォトマスクステージ支持ラック１２が設けられ、前記フォトマスクステージ２は、前記フォトマスクステージ支持ラック１２に設けられる。前記フォトマスクステージ支持ラック１２にはフォトマスクステージ測定システム１４がさらに設けられ、フォトマスクステージ１２の位置情報を測定するためである。
【００３５】
好ましくは、前記反力外部導出機構９は、反力外部導出支持ラック１３を有し、前記反力外部導出支持ラック１３は、前記定盤６に接続される。即ち、反力外部導出機構９は、反力外部導出支持ラック１３により定盤６に装着される。好ましくは、該フォトリソグラフィ装置は、前記ワークステージ５に接続されるワークステージ駆動モータ、及び前記フォトマスクステージ２に接続されるフォトマスクステージ駆動モータをさらに有し、具体的に、前記反力外部導出機構９の一端は、前記ワークステージ駆動モータ１５、またはフォトマスクステージ駆動モータに接続され、他端は前記定盤６に接続される。
【００３６】
図３に示すように、前記反力外部導出機構９は、順次接続された支持ラック中継手段９１、非干渉手段９２、反力減衰手段、及び震動源中継手段９３をさらに有し、前記支持ラック中継手段９１は、前記反力外部導出支持ラック１３に接続され、前記震動源中継手段９３は、前記ワークステージ駆動モータまたはフォトマスクステージ駆動モータにさらに接続され、ワークステージ５またはフォトマスクステージ２により生じる反作用力を、反力外部導出支持ラック１３を介して定盤６に伝えるためである。
【００３７】
本出願の実施例において、前記非干渉手段９２は、前記支持ラック中継手段９１と前記反力減衰手段との間に位置する。前記非干渉手段９２は、好ましくは積層ゴムであり、前記非干渉手段９２により定盤６からの振動を隔絶できる。
【００３８】
好ましくは、前記反力減衰手段は、接続ブロック９４、反力外部導出ダンパ手段９５、反力外部導出バネ手段９６、及び中継アーム９７を有し、前記接続ブロック９４は、前記支持ラック中継手段９１に接続され、前記反力外部導出ダンパ手段９５の両端は、前記接続ブロック９４及び震動源中継手段９３にそれぞれ接続されることで運動ステージの反作用力に対する減衰を実現し、前記反力外部導出バネ手段９６の両端は、前記接続ブロック９４及び中継アーム９７の一端にそれぞれ接続され、前記中継アーム９７の他端は、震動源中継手段９３に接続される。
【００３９】
好ましくは、前記反力外部導出バネ手段９６は、バネガイド柱９８により前記接続ブロック９４に装着される。
【００４０】
好ましくは、前記主基板４には前記ワークステージ５に対応するワークステージ測定システム１６が設けられ、ワークステージ５の位置情報を測定するためである。
【００４１】
図１から図４を踏まえて参考にし、図４は、反力外部導出機構９とワークステージ５の装着概略図である。図４におけるワークステージ駆動モータ１５の固定子は、ガイドレールによりワークステージ大理石５１に固定され、水平第２方向に沿って摺動可能であり（ここではＹ方向）、震動源中継手段９３は、ワークステージ駆動モータ１５の固定子に固定され、複数の前記反力外部導出バネ手段９６は、中継アーム９７及び接続ブロック９４を介して並列構造を実現することで、ワークステージ駆動モータ１５の固定子のリセットを実現する。前記反力外部導出ダンパ手段９５は、震動源中継手段９３及び接続ブロック９４により両端が固定されることで、ワークステージ５の（から伝わった）反作用力に対する減衰を実現する。前記非干渉手段９２は、Ｙ方向の大剛性により、ワークステージ５のロングストローク運動方向のＹ方向作用反力とその他方向との非干渉を実現し、かつＹ方向のモータの作用反力を引き出すとともに、定盤６からの振動をさらに隔絶する。上述部材の組み合わせにより、ワークステージ５のＹ方向の反作用力の外部への導出を実現し、緩衝装置８の設計難易度を低減し、運動反力のワークステージ測定システム１６への影響を減らし、かつＹ方向上の片側に装着され、占有する空間が小さく、脱着しやすい。
【００４２】
本発明は、反力外部導出機構９をさらに提供し、順次接続された反力外部導出支持ラック１３、反力減衰手段、及び震動源中継手段９３を有し、前記震動源中継手段９３は、震動源に接続され、前記反力外部導出支持ラック１３は、定盤６に接続され、前記反力外部導出機構９は、前記震動源の震動力を削減し、かつ定盤６からの振動を隔絶するためのものである。
【００４３】
さらに、前記反力外部導出機構９は、支持ラック中継手段９１、及び非干渉手段９２を有し、前記支持ラック中継手段９１は、前記反力外部導出支持ラック１３に接続され、前記非干渉手段９２は、前記支持ラック中継手段９１と前記反力減衰手段との間に位置し、前記非干渉手段９２は、定盤６からの振動を隔絶するためのものである。
【００４４】
さらに、前記反力減衰手段は、接続ブロック９４、反力外部導出ダンパ手段９５、反力外部導出バネ手段９６、及び中継アーム９７を有し、前記接続ブロック９４は、前記支持ラック中継手段９１に接続され、前記反力外部導出ダンパ手段９５の両端は、前記接続ブロック９４及び前記震動源中継手段９３にそれぞれ接続されることで運動ステージの反作用力に対する減衰を実現し、前記反力外部導出バネ手段９６の両端は、前記接続ブロック９４及び前記中継アーム９７の一端にそれぞれ接続され、前記中継アーム９７の他端は、前記震動源中継手段９３に接続される。
【００４５】
好ましくは、前記反力外部導出バネ手段９６は、バネガイド柱９８により前記接続ブロック９４に装着される。
【００４６】
本発明は、上述のような外力外部導出機構９を装着したモータ装置をさらに提供し、前記反力外部導出機構９及び運動モジュールを有し、前記反力外部導出機構９は、前記運動モジュールに接続され、前記反力外部導出機構９は、定盤６にさらに接続され、前記反力外部導出機構９は、前記運動モジュールの震動力を削減し、かつ定盤６からの振動を隔絶するためのものである。
【００４７】
好ましくは、前記運動モジュールは、固定子及び可動子を有し、前記反力外部導出機構９は、前記固定子に接続される。
【００４８】
以上を総合し、本発明により提供される反力外部導出機構、モータ装置、及びフォトリソグラフィ装置であって、該フォトリソグラフィ装置は、照明手段１、フォトマスクステージ２、投影レンズ３、主基板４、ワークステージ５、及びメイン吊り下げフレーム７を有し、前記照明手段１及びフォトマスクステージ２は、前記主基板４に設けられ、前記投影レンズ３は、前記フォトマスクステージ２と前記ワークステージ５との間に設けられ、前記メイン吊り下げフレーム７は定盤６上方に設けられ、前記ワークステージ５及び主基板４は、前記吊り下げフレーム７に設けられ、前記メイン吊り下げフレーム７と定盤６との間には緩衝装置８が設けられ、前記ワークステージ５の片側と前記定盤６との間、及び／または前記フォトマスクステージ２の片側と前記定盤６との間には反力外部導出機構９がそれぞれ設けられ、前記反力外部導出機構９は、前記ワークステージ５、及び／または前記フォトマスクステージ２の震動力を削減し、かつ定盤６からの振動を隔絶するためのものである。ワークステージ５及びフォトマスクステージ２の片側に反力外部導出機構９を設けることにより、該二つの運動ステージの運動方向の反力を定盤６に導出し、定盤６の振動を運動ステージに伝えず、反力による装置の振動を減少させることができる。装置フレーム及び運動ステージシステムの設計製造の難易度を大幅に低減し、運動ステージの制御精度を高め、緩衝装置８の必要性を効果的に抑え、緩衝装置８の開発難易度、及び開発コストを低減することができる。振動吸収装置１１を採用することで照明支持ラック１０の局部モードに対して制振がされ、効果が明らかであり、構造が簡単で、フレーム自体のモード剛性を増加させることと比較して、設計難易度及び加工製造コストを大幅に減らすことができる。本発明の反力外部導出機構９の装着及びメンテナンス空間は小さく、構造がコンパクトで、簡単であり、脱着しやすい。
【００４９】
明細書において、本発明の実施形態を説明したが、これらの実施形態は提示するだけであり、本発明の保護範囲を限定しないものとする。本発明の主旨から逸脱しない範囲内で各種の省略、置き換え、及び変更を行うことはいずれも本発明の保護範囲内に含まれるものとする。
【符号の説明】
【００５０】
１    照明手段
２    フォトマスクステージ
３    投影レンズ
４    主基板
５    ワークステージ
５１    ワークステージ大理石
６    定盤
７    メイン吊り下げフレーム
８    緩衝装置
９    反力外部導出機構
９１    支持ラック中継手段
９２    非干渉手段
９３    震動源中継手段
９４    接続ブロック
９５    反力外部導出ダンパ手段
９６    反力外部導出バネ手段
９７    中継アーム
９８    バネガイド柱
１０    照明支持ラック
１１    振動吸収装置
１１１    振動吸収装置支持板
１１２    振動吸収ブロック
１１３    振動吸収装置ダンパ手段
１１４    締め付けネジ
１１５    振動吸収装置プリテンションスクリュ
１１６    振動吸収装置バネ手段
１２    フォトマスクステージ支持ラック
１３    反力外部導出支持ラック
１４    フォトマスクステージ測定システム
１５    ワークステージ駆動モータ
１６    ワークステージ測定システム
【図１】
2019011860.tif 000003
【図２】
2019011860.tif 000004
【図３】
2019011860.tif 000005
【図４】
2019011860.tif 000006